(57)【要約】【課題】  植物や樹木に穿設した穴に対して差し込んで薬剤を一定量ずつ供給することができ、長時間の使用が可能な薬液供給用容器を提供する。【解決手段】  蓋体３にノズル管５が取り付けられており、前記ノズル管５に空気を導入する空気導入穴５ａが形成されており、前記空気導入穴５ａの位置では薬液８の供給が停止して（容器本体２に空気が入らなくなり）、一定量以上に薬液８の供給が行き過ぎないようにする。植物や樹木Ｋに穿設した穴Ｋａに対して差し込んで、薬液８を一定量供給する液溜まり９を形成して薬液８を供給することが好ましい。【選択図】図１
2020130097.tif 000002
【特許請求の範囲】
【請求項１】
植物や樹木に穿設した穴に薬液を供給する薬液供給用容器において、薬剤を供給するノズル管に空気を導入する空気導入穴が形成されており、前記空気導入穴の位置では薬液の供給が停止して、薬液が一定量以上に供給が行き過ぎないようにすることを特徴とする薬液供給用容器。
【請求項２】
植物や樹木に穿設した穴から薬液を供給する薬液供給用容器において、複数本のノズル管を取り付けて、その内の少なくとも一つを空気導入手段としてのノズル管とし、他のノズル管を薬液の供給のために使用して、前記空気導入手段としてのノズル管の長さや配置を調節することで薬液の供給が停止して、薬液が一定量以上に供給が行き過ぎないようにすることを特徴とする薬液供給用容器。
【請求項３】
前記薬液供給のノズル管の先端開口を斜めにカットして、植物や樹木に穿設した穴に対して突き刺すように使用することを特徴とする請求項１又は２記載の薬液供給用容器。
【請求項４】
前記ノズル管に折り曲げ可能な折り曲げ部が設けられていることを特徴とする請求項１又は２記載の薬液供給用容器。
【請求項５】
液体が収納される本体容器と、開口部の蓋体とを備え、前記本体容器又は前記蓋体に、植物や樹木に穿設した穴に雨や雪などによる水が入り込むことを防止する嵌合部材が設けられていることを特徴とする請求項１ないし４のいずれか１項記載の薬液供給用容器。
【請求項６】
植物や樹木に穿設した穴に薬液を供給する薬液供給用容器による供給方法において、薬剤を供給するノズル管に空気を導入する空気導入穴が形成されており、前記空気導入穴の位置では薬液の供給が停止して、薬液が一定量以上に供給が行き過ぎないようにしており、植物や樹木に先頭が尖った形状の穴を斜め下方に向けて形成して、この先頭部に薬液を一定量供給する液溜まりを形成して、薬液供給用容器からの薬液を供給することを特徴とする薬液供給用容器による薬液供給方法。
【請求項７】
植物や樹木に穿設した穴に薬液を供給する薬液供給用容器による供給方法において、複数本のノズル管を取り付けて、その内の少なくとも一つを空気導入手段とし、他のノズル管を薬液の供給のために使用して、前記空気導入手段によって他のノズル管の薬液の供給が停止して、薬液が一定量以上に供給が行き過ぎないようにしており、植物や樹木に先頭が筒状の穴を斜め下方に向けて形成して、この先頭部に薬液を一定量供給する液溜まりを形成して、薬液供給用容器からの薬液を供給することを特徴とする薬液供給用容器による薬液供給方法。
【請求項８】
液体が収納される本体容器と、開口部の蓋体とを備え、前記本体容器又は前記蓋体に、植物や樹木に穿設した穴に雨や雪などによる水が入り込むことを防止する嵌合部材が設けられていることを特徴とする請求項６又は７記載の薬液供給用容器。
【発明の詳細な説明】
【技術分野】
【０００１】
本発明は、植物や樹木へ薬液を供給する薬液供給用容器及び薬液供給方法に関する。
【背景技術】
【０００２】
従来、樹木への薬液注入技術としては、例えば、植物や樹木に栄養分を補給したり、また、例えば、松樹などの樹木に害虫などが浸入することを防止するために、また、不燃性又は難燃性の木材となる樹木を生育するなどのために、植物や樹木に薬液を供給する技術が知られている。
【０００３】
特許文献１は、「（課題）不燃性又は難燃性の木材となる樹木を生育する方法の提供。」とし、「（解決手段）生きている樹木１の幹外周面５には、地面３に近い下端部に複数の穴１ａ，１ａ・・・、１ｂ，１ｂ・・・を中心軸に向いて傾斜して設け、この穴には不燃剤８を注入し、穴１ａに満ちた不燃剤８は幹４に形成している複数の導ノズル管に沿って吸上げられることで、幹４のほぼ全域に行きわたらせる。」とするもので、そして、「（請求項２） 上記不燃剤又は難燃剤をビンに詰め、このビンの口を穴に差し込んで注入するようにした請求項１記載の難燃性木材の生育方法。」が記載されている。
特許文献２は、「（課題）薬液注入容器の構造を複雑にすることなく、薬液の加圧を一定圧に保持することのできる薬液注入方法と、この薬液注入方法の使用に好適な薬液注入容器を提供することにある。」とし、「（解決手段） 薬液Ｗと液化ガスＧとを共通の収容空間１ｃに収容する容器本体１と、容器本体１に設けられ薬液Ｗが注込まれる開閉可能な薬液収容口と、容器本体１に設けられ液化ガスＧが注入される逆止構造の液化ガス注入弁４とを備えた薬液注入容器を使用する。」として、その段落（００１５）に本発明に係る薬液注入容器の実施の形態として、「・・・図１に示すように、容器本体１，薬液収容口２，ネジキャップ３，液化ガス注入弁４，注入用ノズル管５，アタッチメント６の各部で構成されている。」と記載されている。そして、樹木Ｔに穿った注入用穴Ｈに接続される薬液注入容器に一定量の液化ガスＧを注入して液化ガスＧの蒸気圧Ｐで薬液Ｗを加圧する。この特公平３−４７８０３号公報に記載されている従来の技術は、樹木に注入用穴を穿ち、注入用穴から樹木に薬液を１〜３Ｋｇ／ｃｍ2 で加圧注入するものである。
【０００４】
特許文献３（特開平２−１６７０１４号公報）には、先端部に注入ノズルを備えた容器本体と、該容器本体の後部から該容器本体に挿入するようにしてガスボンベを着脱自在に保持するボンベホルダと、該ボンベホルダの一部を形成する可撓性のメンブレン部を介し、前記容器本体の外部から、ガスボンベのチップ部分をガス噴出位置とガス停止位置とに切り替え可能な操作ノブを備えてなる薬液注入容器が開示されている。
特許文献４には、プラスチック製の薬液溜部の先端部に小径の注入部を設けるとともに、上記薬液溜部の上端部に薬液注入口を設け、上記薬液溜部に圧縮可能な蛇腹部が形成されており、上記薬液溜部に所定の薬液を注入した後、注入口を密閉してなる植物への薬液注入器が開示されている。
【先行技術文献】
【特許文献】
【０００５】
【特許文献１】特開２０１８−３８３５０号公報
【特許文献２】特公平３−４７８０３号公報
【特許文献３】特開平２−１６７０１４号公報
【特許文献４】実開昭６０−８７５７２号公報
【発明の概要】
【発明が解決しようとする課題】
【０００６】
ところで、植物や樹木に薬剤を供給するとしても、樹木や植物に穴を穿設すると、雪や雨などの水分が入り込み、供給する薬液が薄められたり、薬剤の成分が変質して薬液の効き目が失われる問題がある。
また、容器本体を下方に向けて使用すると、一定量ずつしか供給しないと過剰な供給となってしまい、頻繁に容器を交換しなければならなかったり、これを防止するために弁の構造を採用するなどすると、構造が複雑で効果になる課題を有する。
ここで、薬液によっては、一度に大量に供給しても、その効き目には効果に変化がないものや、十分に時間をかけて供給しなければならないものもある。また、本願発明者の研究によれば、不燃性又は難燃性の木材となる樹木を生育するような場合には、外気を取り込まずに行う方法が効果的であるが、更なる効果がのある供給方法が求められている。
【０００７】
そこで本発明の目的は、植物や樹木に穿設した穴に対して差し込んで薬剤を一定量ずつ供給することができ、長時間の使用が可能な薬液供給用容器及び薬液供給方法を提供することにある。
【課題を解決するための手段】
【０００８】
本発明は、前記蓋体にノズル管が取り付けられており、前記ノズル管に空気を導入する空気導入穴が形成されており、前記空気導入穴の位置では薬液の供給が停止して、一定量以上に供給が行き過ぎないようにすることを特徴とする。
本発明によれば、樹木や植物に穿設した穴に容器本体を下方に向けて差し込むようにして使用するが、空気を導入する空気導入穴が形成されたノズル管を使用するために、この空気導入穴の位置では容器の薬液の供給が停止するので、一定量ずつ薬液が供給されることとなる。したがって、供給過剰にならずに容器を頻繁に交換しなければならない事態を防止する。
ここで、上記供給が停止する原理を説明すると、図２（ａ）（ｂ）に示すように、水面Ｓの位置が空気穴５ａｒの先端が位置すると、容器本体２に空気が供給されなくなり、薬液８の供給が停止する。薬液が樹木等に吸収されて、水面の位置Ｓが空気穴５ａｒから離れて空気が容器本体２の中に供給されると、その分だけ容器本体２の中の薬液８が出て液溜まり９に薬液８を供給する。水位Ｓが上がり、再び空気穴５ａｒにより液溜まり９の水位Ｓで空気穴５ａｒが蓋をされると（水で空気穴５ａｒを塞ぐと）、容器本体２内は空気の供給が無くなり、薬液８が出なくなる（供給が停止する）。前記空気穴５ａｒの大きさや形状としては、供給ノズルの先端５ｅの大きさや形状と対応する大きさであることが好ましく（同じ大きさや形状が好ましく）大きさで言えば、略１：１程度である。供給ノズル５の先端５ｅの開口と前記空気穴５ａｒとの対応関係としては、供給ノズルの先端５ｅを斜めにカットしたり、前記空気穴５ａｒの大きさを大きく形成するなどして、略１：１程度の大きさ（面積）になるように調整すると良い。
【０００９】
また、本発明は、植物や樹木に穿設した穴から薬液を供給する薬液供給用容器において、複数本のノズル管を取り付けて、その内の少なくとも一つを空気導入手段としてのノズル管とし、他のノズル管を薬液の供給のためのノズル管として、前記空気導入手段としてのノズル管を薬液供給のノズル管よりも短くしたりその配置を調節することで、一定量以上に薬液の供給が行き過ぎないようにすることを特徴とする。
本発明によれば、樹木や植物に穿設した穴に容器本体を下方に向けて差し込むようにして使用するが、ノズル管を複数本取り付けて、その内の少なくとも一つを空気導入手段として使用しているので、前記空気導入手段としてのノズル管の先端部の位置によりも上方には、薬液が供給されずに薬液の供給が停止して、一定量以上に供給が行き過ぎないようにする。
ここで、上記供給が停止する原理を説明すると、図５（ａ）（ｂ）に示すように、水面Ｓの位置が空気導入用のノズル管５Ｂの先端が位置すると、容器本体２に空気が供給されなくなり、薬液供給用のノズル５Ａからの薬液８の供給が停止する。薬液が樹木等に吸収されて、水面の位置Ｓがノズル管５Ｂから離れて空気が容器本体２の中に供給されると、その分だけ容器本体２の中の薬液８が出る（液溜まり９に薬液８を供給する）。水位Ｓが上がり、再び空気導入用のノズル管５Ｂにより液溜まりの水位Ｓで空気導入用のノズル管（先端５ｅ）が蓋をされると（ノズル管５Ｂの先端５ｅを塞ぐと）、容器本体２内は空気の供給が無くなり、薬液８が出なくなる（供給が停止する）。空気導入用のノズル管５Ｂと薬液供給用のノズル５Ａの先端部の開口は、同じ大きさで同じ形状であることを前提としている。両者の供給ノズルの先端５ｅの大きさや形状と対応する大きさであることが好ましく、同じ大きさや形状である必要はないが、ノズル先端の開口の面積は、略１：１程度で調整することが好ましい。
【００１０】
また、本願発明者の研究によれば、不燃性又は難燃性の木材となる樹木を生育する場合のように、樹木を枯らしたりその性質を変えてしまうような場合は、外気を取り込まずに行う方法が効果的であることから、このような場合は、嵌合部材で植物や樹木に穿設した穴に嵌め込んで、本体容器の開口を塞いで使用すると良い。
【００１１】
本発明としては、植物や樹木に穿設した穴から薬液を供給する薬液供給用容器において、薬剤を収納する本体容器とその蓋体とを備え、前記蓋体が植物や樹木に穿設した穴に雪や雨などの水分などが入り込むことを防止する嵌合部材で構成されているか、または、前記蓋体に植物や樹木に穿設した穴に雪や雨などの水分などが入り込むことを防止する嵌合部材が取り付けられていることを特徴とする。ここで、容器本体は、前記嵌合部材の差し込みによる下向き姿勢で支持されるものが好ましい。
本発明によれば、薬用供給用容器の蓋体の柔軟性のあるゴムや柔軟性のある合成樹脂製であることを利用して植物や樹木に穿設した穴に差し込むようにして取り付けると、嵌合部材の弾力性により植物や樹木に穿設した穴を塞ぐことになり、穿設した穴に雪や雨などの水分が入り込む事態を防止することができる。したがって、薬液が薄められたり、薬剤の成分が変質して薬液の効き目が長期間維持できない問題を防止することができる。
【００１２】
また、本発明としては、植物や樹木に穿設した穴に薬液を供給する薬液供給用容器による供給方法において、薬剤を供給するノズル管に空気を導入する空気導入穴が形成されており、前記空気導入穴の位置では薬液の供給が停止して、一定量以上に供給が行き過ぎないようにするものであり、植物や樹木に先頭が尖った形状の穴を斜め下方に向けて形成して、この先頭部に薬液供給用容器からの薬液を一定量供給する液溜まりを形成して、薬液供給用容器からの薬液を供給することを特徴とする。
【００１３】
植物や樹木に穿設した穴に薬液を供給する薬液供給用容器による供給方法において、複数本のノズル管を取り付けて、その内の少なくとも一つを空気導入手段として使用して、前記空気導入手段によって他のノズル管の薬液の供給が停止して、一定量以上に供給が行き過ぎないようにする供給調整手段が設けられており、植物や樹木に先頭が筒状の穴を斜め下方に向けて形成して、この先頭部に薬液供給用容器からの薬液を一定量供給する液溜まりを形成して、薬液供給用容器からの薬液を供給することを特徴とす
【００１４】
本発明としては、前記薬液供給のノズル管の先端開口を斜めにカットして、植物や樹木に穿設した穴に対して斜め下方に向けて突き刺すように使用することを特徴とする。
本発明によれば、植物や樹木に穿設した穴に対して斜め下方に向けて突き刺すように使用することにより、安定した姿勢を維持できる。
【００１５】
本発明としては、前記ノズル管に折り曲げ可能な折り曲げ部が設けられていることを特徴とする。前記ノズル管の空気導入管が折り曲げ可能な柔軟性のある部材で構成しても良い。
本発明によれば、前記ノズル管に折り曲げ部があることから、その先端部の位置（薬液を供給することができる位置）を折り曲げて、その位置を調節することが可能である。
【発明の効果】
【００１６】
本発明によれば、前記蓋体にノズル管が取り付けられており、前記ノズル管に空気を導入する空気導入穴が形成されており、前記空気導入穴の位置では薬液の供給が停止して、一定量以上に供給が行き過ぎないようにするか、または、前記ノズル管を複数本取り付けて、その内の少なくとも一つを空気導入手段として使用して、この空気導入穴の位置では容器の薬液の供給が停止するので、一定量ずつ薬液が供給されることとなる。したがって、供給過剰にならずに容器を頻繁に交換しなければならない事態を防止する。
【図面の簡単な説明】
【００１７】
【図１】本発明の第１の実施の形態の薬液供給用容器を示す断面図である。
【図２】上記第１と第２の実施の形態の薬液供給用容器の薬液供給の停止の原理を説明する面である。
【図３】上記第１の実施の形態の薬液供給用容器の断面図である。
【図４】本発明の第２の実施の形態の薬液供給用容器を示す断面図である。
【図５】上記第２の実施の形態の薬液供給用容器の薬液供給の停止の原理を説明する面である。
【発明を実施するための形態】
【００１８】
以下、本発明を適用した具体的な実施の形態について図面を参照しながら詳細に説明する。
【００１９】
（第１の実施の形態）
本発明の第１の実施形態の薬液供給用容器は、薬液が収納される容器本体２と蓋体３とを備えて、蓋体３に嵌合部材４が取り付けられているとともに、ノズル管５が取り付けられている。
第１の実施の形態の薬液供給用容器１は、前記容器本体２がペットボトルであり、前記蓋体３がペットボトルのキャップであり、前記キャップ３に嵌合部材４が取り付けられている。資源の有効活用の点から、山間部などで使用される薬液供給用容器１は、そもそも高価なものは必要はなく、ペットボトルのような広く使用される汎用品が気軽に使えて好ましい。
【００２０】
嵌合部材４は、三角錐形状に形成されており、植物や樹木Ｋに穿設した穴Ｋａ，Ｋｂに対し差し込みし易くなっている。また、嵌合部材４は、柔軟性のあるゴムや柔軟性のる合成樹脂製で構成されているが、コルクやスポンジ（硬質系のスポンジ）などを使用することができ、また、透明な部材としたり、通気性を確保したり、通気性を遮断したりするものが使用できる。そして、植物や樹木Ｋに斜め下向きなどに三角錐形状の穴Ｋａ，Ｋｂを穿設して差し込むが、前記嵌合部材４を樹木等に穿設した穴に嵌合することで雨水など入り込む事態を防止する。植物や樹木に斜め下向きなどに三角錐形状の穴を穿設して、前記嵌合部材を差し込めば、雨水等で薬液８が薄められたり、薬剤の成分が変質して薬液の効き目が長期間維持できない問題を防止することができる。なお、嵌合部材４は、前記キャップ３を兼用することが可能である。
【００２１】
前記蓋体３にノズル管５が一つ取り付けられている。前記ノズル管５は、空気を導入する空気導入穴５ａがその先端側に形成されている。この空気導入穴５ａは、前記ノズル管５を樹木の穴に対して単に下向きにして使用すると、一度に配水されてしまうが、前記空気導入穴５ａの位置では薬液８の供給を停止させるために設けられている。すなわち、容器２を斜め下方に向けると、薬液８がノズル管５から供給されるが、前記空気導入穴の位置で空気が供給されるので、前記空気導入穴の位置で薬液８の供給は一旦停止する。そして、樹木等に薬液が供給されて、前記空気導入穴よりも低い位置になると、容器本体２からの供給が再開される（図２（ａ）（ｂ））。
【００２２】
（薬液供給用容器による薬液供給方法）
前記第１の実施の形態の薬液供給用容器を使用するときは、植物や樹木Ｋに先頭が尖った形状の穴Ｋａを斜め下方に向けて形成して、この穴Ｋａの中にノズル管５を内部に突き刺すようにして固定する。この先頭部の突き刺しにより、植物や樹木の水分が滲み出るが、これに混ぜるように薬液供給用容器１からの薬液８を一定量供給する液溜まり９を形成して、薬液供給用容器１からの薬液８を供給する。栄養分などの薬液では、樹木や植物の成分が滲み出てくるが、これと混ぜ合わせるようにすることで、吸収性が高められる。
なお、不燃性又は難燃性の木材となる樹木を生育する場合のように、樹木を枯らしたりその性質を変えてしまうような場合は、外気を取り込まずに行う方法が効果的であり、嵌合部材４で植物や樹木に穿設した穴に嵌め込んで、本体容器２の開口を塞いで使用すると良い。
【００２３】
（第２の実施の形態）
本施施の形態の薬液供給用容器１１においては、二本のノズル管５Ａ，５Ｂが蓋体３に取り付けられており、その内の一つのノズル管５Ｂが薬液供給用であり、他の一つを薬液の供給用としている。本実施の形態では、空気導入用のノズル管５Ｂは、他方の供給用のノズル管５Ａよりも、その長さが短く形成されている（図２）。これにより、短い方の空気導入手段としてのノズル管５Ｂの先端位置で薬液の供給が停止することになる（図２）。
ここで、前記空気導入用のノズル管を所定方向に折り曲げることが可能な柔軟な部材５ｃで構成することが可能である（図４）。柔軟性のあるゴムや合成樹脂製、或いは葦等で構成することにより、折り曲げたり、所定長さに切断して、ノズル管５Ｂの先端の位置を調節することができる。なお、蛇腹状の折り曲げ部５ｃを設けても良い。
【００２４】
（薬液供給用容器による薬液供給方法）
本実施の形態の使用方法は、植物や樹木に筒状の穴Ｋｂを穿設して、その穴Ｋｂの中に、本容器１１の先端のノズル管を差し込むようにして挿入する。その先端部は、穴Ｋａの底に突き刺すようにする。供給用のノズル管は、鋼鉄製であり、樹木等に対して突き刺すように使用することができ、先端を尖ったものにしても良い。この先頭部に薬液供給用容器１からの薬液８を一定量供給する。すなわち、穴Ｋａの中に液溜まり９ができるが、この液溜まり９にノズル管の先端を突き刺すようにすると、薬液供給用容器１をからの薬液８が斜め下方に向けられ供給される。樹木や植物の成分が滲み出てくるが、これと混ぜ合わせるようにすることで、吸収性が高められる。栄養剤を供給するときには、樹木や植物の液体成分とともに、外気を供給することが好ましいので、嵌合部材４を通気性のある部材とすることも考えられる（多孔質のスポンジ、合成樹脂製やゴムとす）。上記ノズル管５Ｂは、折り曲げ部５ｃを介してその先端部５ｅが下向きになるように折り曲げて、その先端部５ｅの位置を調整可能である（図４）。
【００２５】
図５は、第１の実施の形態の応用例を示す。この応用例では、嵌合部材４が前記キャップ３を兼用しているので、別途蓋体を用意する必要がない。また、上記ノズル管５Ｂは、折り曲げ部５ｃを介してその先端部５ｅが下向きになるように折り曲げて、雨や雪などが入らないようにしている。この応用例では、嵌合部材４を透明な樹脂で構成して、水位Ｓなどが確認できるようにしても良い。また、上記折り曲げ部５ｃを使用して、ノズル管５Ｂの先端部５ｅの高さを調節して、樹木等に穿設した穴５ａ，５ｂの中の液溜まり９の高さの位置（水位）Ｓを調節している。
ここで、嵌合部材４に、空気導入手段としてのノズル管５Ｂが樹木に穿設した穴Ｋｂの中で使用されているが、外部に向けて（木Ｋの外）の外気を吸うように取り付けたり、さらに本数を増やして、その増えたノズル管を外気を吸うように取り付けたりすることも可能である。外気を取り込むのに好ましい場合としては、栄養剤を供給するときには、樹木や植物の液体成分とともに（液溜まり９を作る）、外気を供給することが好ましい。
【００２６】
以上、本実施の形態では、樹木の幹に穴を穿設した例で説明したが、本発明は、植物や樹木の根や枝に対して穴を穿設して使用することが可能である。そして、植物に対して使用するときは、本発明を小型にして使用することが好ましい。また、本実施の形態では、複数本のノズル管５Ａ，５Ｂとして、二本のもので説明したが、三本以上のものにも適用っ可能である。また、複数の本の場合、長さの長いノズル管５Ａと短いノズル管５Ｂとして説明したが、同じ長さで前記折り曲げ部５ｃを介して折り曲げて、その先端開口部５ｅの位置を変更しても良いものである。
【符号の説明】
【００２７】
１，１１        本発明の薬液供給用容器、
２              容器本体、
３              蓋体（キャップ）、
４              嵌合部材（蓋体兼用）、
５，５Ａ，５Ｂ  ノズル管、５ｃ  折り曲げ部、  ５ｅ    先端部、
８              薬液、
９              液溜まり（一定量の薬液）、
Ｋ              植物や樹木、  Ｋａ  穴（三角錐状の穴）、  Ｋｂ  穴（筒状の穴）
Ｓ１            水位（供給停止位置）、Ｓ２    水位（供給位置）、
【図１】
2020130097.tif 000003
【図２】
2020130097.tif 000004
【図３】
2020130097.tif 000005
【図４】
2020130097.tif 000006
【図５】
2020130097.tif 000007